(57)【要約】【課題】  送信側でのチャネル間多重化処理に伴うフレーム間隔の揺らぎの影響を受けずに、受信したフレームを正確に再生することができるフレーム伝送方法及び装置を提供する。【解決手段】  送信フレームFSからフレーム間隔を検出し、該フレーム間隔の情報FIIを該送信フレームに付加し、多重化して送信する。また、分離された受信フレームからフレーム間隔の情報FIIを抽出し、該受信フレームを該フレーム間隔だけ離して転送する。該フレーム間隔が、該フレーム間隔の情報FIIのビット数で決まる最大のフレーム間隔を超えるときには、該最大のフレーム間隔の情報のみを送信し、続く残りのフレーム間隔の情報を該送信フレームに付加して送信する。そして、該フレーム間隔の情報のビット数で決まる最大のフレーム間隔の情報と、続く残りのフレーム間隔の情報とを受信フレームから抽出し、該最大のフレーム間隔の情報に該残りのフレーム間隔の情報を加えたフレーム間隔だけ該受信フレームを離す。【選択図】  図１
2006270792.tif 000002
【特許請求の範囲】
【請求項１】
送信フレームからフレーム間隔を検出する第1ステップと、
該フレーム間隔の情報を該送信フレームに付加し、多重化して送信する第2ステップと、
を備えたことを特徴とするフレーム伝送方法。
【請求項２】
分離された受信フレームからフレーム間隔の情報を抽出する第3ステップと、
該受信フレームを該フレーム間隔だけ離して転送する第4ステップと、
を備えたことを特徴とするフレーム伝送方法。
【請求項３】
請求項１において、
該第2ステップは、該フレーム間隔が、該フレーム間隔の情報のビット数で決まる最大のフレーム間隔を超えるときには、該最大のフレーム間隔の情報のみを送信するステップと、続く残りのフレーム間隔の情報を該送信フレームに付加して送信するステップとを含むことを特徴としたフレーム伝送方法。
【請求項４】
送信フレームからフレーム間隔を検出する第1手段と、
該フレーム間隔の情報を該送信フレームに付加し、多重化して送信する第2手段と、
を備えたことを特徴とするフレーム伝送装置。
【請求項５】
分離された受信フレームからフレーム間隔の情報を抽出する第3手段と、
該受信フレームを該フレーム間隔だけ離して転送する第4手段と、
を備えたことを特徴とするフレーム伝送装置。
【発明の詳細な説明】
【技術分野】
【０００１】
本発明はフレーム伝送方法及び装置に関し、特にSONET/SDH等においてフレーム形式のデータを伝送する方法及び装置に関するものである。
【背景技術】
【０００２】
図13は、従来のフレーム伝送装置を概略的に示しており、送信側は、加入者装置（端末装置）1と送信側伝送装置2とで構成され、受信側は受信側伝送装置3と加入者側装置4とバッファ5とで構成されている。
【０００３】
加入者側装置1からの比較的低速な各チャネル毎の送信フレームSF（図14(1)参照。）は、カプセル化部11_1〜11_n（以下、符号「11」で総称することがある。）においてそれぞれカプセル化処理が施された後、複数フレーム分多重化され、さらに多重化部12においてnチャネルの全回線について多重化され、高速回線を経由してその多重化データMF（同図(2)参照。）を受信側に送信する。
【０００４】
受信側においては、送信側からの高速の多重化フレームMFを、伝送装置3における分離部13で受信し、且つnチャネルのフレームに分離する。これらnチャネルのフレームはそれぞれ、デカプセル化部14_1〜14_n（以下、符号「14」で総称することがある。）においてそのカプセルが除去されて低速な転送フレームTF（同図(3)参照。）となって加入者装置4に送られる。この加入者側装置4にはバッファ5が相互接続されている。
【０００５】
また、複数のディジタルストリームを多重化フレームの各伝送スロットに多重化し伝送するディジタル多重伝送装置において、各ディジタルストリーム毎に、入力したディジタルデータが一伝送スロットで伝送されるデータ量に達した時点を検出し、この時点が検出されたディジタルストリームのスロット割当情報を生成し、この生成したスロット割当情報に従って各ディジタルストリームを多重化し、この多重化フレームに前記スロット割当情報を付加して、受信側に伝送するようにしたものがある（例えば、特許文献１参照。）。
【０００６】
また、多重リング状光ネットワーク上で伝送されるフレームが、多数のパケットデータから構成されたバーストデータ及びバーストデータの目的地を示すヘッダデータを含むようにしたバースト通信のための多重リング状光ネットワークがある（例えば、特許文献２参照。）。
【特許文献１】特許第34347695号
【特許文献２】特開2004-140831号公報
【発明の開示】
【発明が解決しようとする課題】
【０００７】
図13に示したような従来例の場合、送信側伝送装置2の多重化部12での多重化処理のため、バッファリングを行うが、これにより、受信側で再生されるフレームはバースト的なものとなってしまい、送信時のフレーム間隔（伝送レート）を再生できないという課題がある。
【０００８】
このように再生されるフレームがバースト的なものとなり揺らいでしまうことから、受信側伝送装置3から加入者側装置4への転送レートに偏りができてしまう。このような偏りを吸収するために、個々の加入者側装置4においてバッファ5を設ける必要があった。
【０００９】
また、このようなバッファ5がオーバフローしないようにするため、フロー制御が必要となり、これに伴って回路の複雑化と規模が著しく大きくなってしまうという課題があった。
【００１０】
従って本発明は、送信側でのチャネル間多重化処理に伴うフレーム間隔の揺らぎの影響を受けずに、受信したフレームを正確に再生することができるフレーム伝送方法及び装置を提供することを目的とする。
【課題を解決するための手段】
【００１１】
上記の目的を達成するため、本発明に係るフレーム伝送方法又は装置は、送信フレームからフレーム間隔を検出する第1ステップ又は手段と、該フレーム間隔の情報を該送信フレームに付加し、多重化して送信する第2ステップ又は手段と、を備えたことを特徴としている。
【００１２】
また、本発明に係るフレーム伝送方法又は装置は、分離された受信フレームからフレーム間隔の情報を抽出する第3ステップ又は手段と、該受信フレームを該フレーム間隔だけ離して転送する第4ステップ又は手段と、を備えたことを特徴としている。
【００１３】
このような本発明の原理図が図1に示されている。この原理図からも分かるように、本発明におけるフレーム伝送方法を実現する送信側伝送装置2及び受信側伝送装置3は、図13に示した従来例と同様である。ただし、加入者側装置4にはデータレートの偏りを吸収するためのバッファは必要ない。
【００１４】
すなわち、本発明によるフレーム伝送方法の送信側においては、図2の動作タイムチャートにも示すように、例えばチャネルCH1に対応する加入者側装置1からの送信フレームSFは、図2(1)に示すように、フレーム間隔t1,t2, t3, …を有し、対応するチャネルCH1のカプセル化部11_1へ入力される。このカプセル化部11_1においては、上記のフレーム間隔t1, t2, t3を検出し、これらの情報を、図1(2)に示すように、フレーム間隔情報FIIとして送信フレームSFに付加した後、さらにフレーム区切りFS等によってカプセル化して多重化部12へ送る。
【００１５】
この多重化部12においては、図1(2)及び図2(2)に示すように、この例では、チャネルCH1において、3つの連続する送信フレームを多重化すると共に、他のチャネルのカプセル化部11_2〜11_nからの送信フレーム（図示せず）も併せて多重化周期FP内においてチャネル間多重化し、多重化フレームMFとして受信側へ送出する。
【００１６】
受信側においては、伝送装置3における分離部13が、図1(2)及び図2(2)に示す多重化フレームMFをチャネル毎に分離し、それぞれデカプセル化部14_1〜14_nに送る。これらのデカプセル化部14_1〜14_nでは、送信側から送信フレームSFに付加されて送られて来たフレーム間隔情報FIIに含まれるフレーム間隔、例えばフレーム間隔t1,t2, t3を抽出する。そして、この抽出したフレーム間隔t1, t2, t3に従って転送フレームの間隔を再現する。これは、他のデカプセル化部14_2〜14_nについても同様にして行われ、図1(3)及び図2(3)に示すように、転送フレームTFがデカプセル化部14から出力されてそれぞれの加入者側装置4へ送られる。
【００１７】
従って、送信側における多重化部12でフレームのバッファリングによる揺らぎが発生しても、これが相対的なものであるため、受信側において再生されるフレームは、送信側のフレーム間隔をそのまま再現できることとなり、以って加入者側装置4には、図13に示したようなバッファ5は必要が無くなる。このため、フロー制御機能が必要なくなり、回路の構成が簡素化されると共にその規模も小さくて済むことになる。
【００１８】
ここで、上記の第2ステップ又は手段は、該フレーム間隔が、該フレーム間隔の情報のビット数で決まる最大のフレーム間隔を超えるときには、該最大のフレーム間隔の情報のみを送信するステップ又は手段と、続く残りのフレーム間隔の情報を該送信フレームに付加して送信するステップ又は手段とを含むことができる。
【００１９】
また、上記の第3ステップ又は手段は、該フレーム間隔の情報のビット数で決まる最大のフレーム間隔の情報と、続く残りのフレーム間隔の情報とを該受信フレームから抽出するステップを含み、該第4ステップが、該最大のフレーム間隔の情報に該残りのフレーム間隔の情報を加えたフレーム間隔だけ該受信フレームを離すステップを含むことができる。
【００２０】
すなわち、これはフレーム間隔が、フレーム間隔の情報のビット数で決まる最大のフレーム間隔を超える場合に対処するためであり、このようなときには、送信フレームが存在しないので最大値のフレーム間隔情報のみを送信し、これに続く残りのフレーム間隔の情報に関しては送信フレームが存在するので、これに付加して送る。
【００２１】
そして受信側では、その最大のフレーム間隔情報と続く残りのフレーム間隔の情報とを受信フレームから抽出し、両者のフレーム情報を加算したフレーム間隔だけ受信フレームを離すことにより、長周期のフレーム伝送についてもフレーム間隔の正確な保持が可能となる。
【００２２】
なお、上記の第2ステップ又は手段は、該フレーム間隔の情報をチャネル毎に多重化するステップ又は手段を含むことができる。
【００２３】
また、上記の第2ステップ又は手段は、複数チャネルのフレーム間隔の情報を多重化するステップ又は手段を含むことができる。
【００２４】
さらに、上記の第2ステップ又は手段は、該フレーム間隔の情報を、所定フレームフォーマットの空きビットに付与するステップ又は手段をさらに含むことができる。
【発明の効果】
【００２５】
本発明によれば、受信側におけるフレームの間隔を、送信側と同じフレーム間隔に保持することが可能となり、加入者側装置においてはバッファが不必要となり、またフロー制御が必要なくなる。この結果、回路の簡素化並びに回路規模の削減が可能となり、ひいては加入者側装置のコストダウンを図ることができる。
【発明を実施するための最良の形態】
【００２６】
図3は、図1に原理的に示した本発明に係るフレーム伝送方法及び装置に用いる送信側伝送装置2の構成実施例を示したものである。
【００２７】
図3に示す構成実施例において、図1に示したカプセル化部11は、送信フレームSF(1)を入力してフレームの先頭を検出するフレーム先頭検出部21と、このフレーム先頭検出部21に接続され、フレーム間の間隔（フレーム先頭と次のフレーム先頭との間隔）を検出して、その情報FII(2)を出力するフレーム間隔カウンタ22と、フレーム先頭検出部21の検出タイミングに基づいてタイミング信号を生成するタイミング生成部23と、送信フレームSFに対して一定の処理遅延時間DLYを与えたフレーム(3)を出力する遅延部24と、タイミング生成部23からのタイミング信号に基づいてフレーム間隔カウンタ22又は遅延部24の出力信号(4)を選択する選択部25と、タイミング生成部23からのタイミング信号に基づいて後述する多重化部12におけるマッピング用バッファへの書込を制御するバッファ書込制御部26と、選択部25からの出力信号(4)に対してカプセル化を行って多重化部12へ送るカプセリング部27とで構成されている。
【００２８】
また、多重化部12は、カプセル化部11におけるカプセリング部27からのカプセル化されたフレームを、バッファ書込制御部20からの制御信号に基づいて書き込むSONET又はSDHマッピング用バッファ31と、このマッピング用バッファ31からフレームを読み出すバッファ読出制御部32と、バッファ読出制御部32に対してタイミング信号を与えるタイミング生成部33と、ヘッダ情報としてのSOH(Section Over Head)及びPOH(Pass Over Head)を生成するSOH/POH生成部34と、ペイロードデータの場所を指し示すためのポインタを生成するポインタ生成部35と、SOH/POH生成部34及びポインタ生成部35からの出力信号並びにマッピング用バッファ31からの各チャネル毎のフレーム(6)を、タイミング生成部33からのタイミング信号に基づいて多重化して多重化フレームMFを受信側へ出力するMUX部36とで構成されている。
動作実施例(1)（送信側）：
このような送信側伝送装置2の動作を、図4に示す動作実施例(1)を参照して以下に説明する。なお、図3及び図4に示した信号(1)〜(6)は互いに対応している。
【００２９】
まず、同図(1)に示す送信フレームSFがカプセル化部11に入力されると、フレーム先頭検出部21がその送信フレームSFを構成するフレームd1の先頭を検出する。これは、図12のフレームフォーマットに示すように、イーサネット（登録商標）フレームF1のフレームパターンHPを検出することによって行われる。このフレーム先頭検出時点でフレーム間隔カウンタ22のカウントを開始させる。このカウンタ22は、次の送信フレームd2をフレーム先頭検出部21が受信し、そのフレーム先頭を検出した時点でカウント停止し、そのカウント値をフレーム間隔情報FII(2)として選択部25へ与える。
【００３０】
一方、送信フレームSF(1)は、遅延部24を介して一定の処理遅延DLYだけ遅延されたフレーム(3)として選択部25へ与えられる。
【００３１】
従って選択部25は、タイミング生成部23からのタイミング信号に基づき、カウント値であるフレーム間隔情報FIIをまず選択し、これに続いて次のタイミング信号で、対応する送信フレームd1,d2, d3, …を選択するので、その選択出力フレーム(4)は、フレーム間隔情報FIIと送信フレームd1, d2, d3, …とを同一チャネル内で多重化したものとなる。これは、図12のフレームフォーマットにおけるフレームF2＝フレーム間隔情報FII＋イーサネット（登録商標）フレームF1に対応している。
【００３２】
この選択部25からの出力フレーム(4)を入力したカプセリング部27は、図12に示すように、フレームF2に、プロトコルPRL（16ビット）及びフレーム区切りFS（FCS（Frame  Check Sequence:16ビット）とフレーム区切りコードFS（8ビット）との組み合わせ）を付加してトンネル用のPPPカプセル化を行ってフレームF3（フレーム(5)）を生成する。
【００３３】
このカプセル化されたフレーム(5)を、多重化部12のマッピング用バッファ31に送ると、このマッピング用バッファ31は、タイミング生成部23からのタイミング信号を受けるバッファ書込制御部26による制御下で、フレーム(5)を書き込む。この多重化部12においてはタイミング生成部33がタイミング信号を発生し、これに基づきバッファ読出制御部32がマッピング用バッファ31から、書き込んであるフレームを読み出す。
【００３４】
この結果、このマッピング用バッファ31から読み出されたフレーム(6)は、図4(6)に示すように同図(5)に示したカプセル化された送信フレームd1, d2, d3を連続して読み出したフレーム（多重化フレーム）となっている。送信フレームd4,d5, d6については、図示のように、SONET/SDHフレーム周期FPが経過した後に新たに連続してバッファ31から読み出される。なお、カプセル化された送信フレームd1,d2, d3と、次のフレーム周期におけるカプセル化された送信フレームd4, d5, d6との間には、他のチャネルにおける送信フレーム（図示せず。）が挿入されることになる。
【００３５】
そして、このフレーム周期FPにおいてSOH/POH生成部34からのヘッダと、ポインタ生成部35からのポインタをMUX部36に与えることにより多重化フレームMFが生成されて受信側に送られる。
【００３６】
このようにして、送信フレームから検出されたフレーム間隔の情報を送信フレームに付加し且つ多重化して受信側へ送信するようにしている。
【００３７】
図5は、図1に原理的に示した受信側伝送装置3の構成実施例を示したものである。
【００３８】
この構成実施例において、分離部13は、多重化フレームMFを入力して各チャネルのフレームDF(1)に分離するDEMUX部41と、このDEMUX部41からのヘッダ情報によりSOH及びPOHを抽出するSOH/POH抽出部42と、同様にヘッダ情報からポインタを抽出するポインタ制御部43と、ポインタ制御部43に基づきバッファ書込制御を行うバッファ書込制御部44と、このバッファ書込制御部44並びにDEMUX部41に対してタイミング信号を与えるタイミング生成部45と、バッファ書込制御部44によって、DEMUX部41からの分離後のフレームDF(1)を書き込むデマッピング用バッファ46とで構成されている。
【００３９】
また、デカプセル化部14は、分離部13におけるデマッピング用バッファ46からのフレームの読出制御を行うバッファ読出制御部51と、デマッピング用バッファ46から読み出されたフレーム(2)から、そのフレーム区切りコード（図12参照。）に従ってフレーム検出を行うフレーム検出部52と、このフレーム検出部52によってフレーム検出されたタイミングでバッファ読出制御部51と共に動作を開始するフレーム間隔カウンタ53と、デマッピング用バッファ46から読み出されたフレーム(2)におけるカプセルを解除するためのデカプセリング部54と、このデカプセリング部54によってデカプセル化されたフレーム(3)から、バッファ読出制御部51による制御信号に基づき、フレーム間隔情報FIIと加入者側装置4（図1参照）への転送フレームTFとに分離する分離部55とで構成されている。
動作実施例(1)（受信側）：
以下、このような受信側伝送装置3の動作実施例(1)を図6を参照して説明する。
【００４０】
まず、図3に示した多重化部12におけるMUX部36から出力された多重化フレームMFを受信した分離部13におけるDEMUX部41は、図6(1)に示すようなチャネル毎のフレームDF(1)に分離する。これは、図4(6)に示したフレームに対応するものである。
【００４１】
DEMUX部41から分離されたフレームDF(1)は、デマッピング用バッファ46へ書き込まれるが、このとき、SOH/POH抽出部42で抽出されたヘッダ情報に基づいてタイミング生成部45で生成されたタイミング信号と、ポインタ制御部43によって抽出されたヘッダ情報のポインタによってバッファ書込制御部44がその書込を制御する。
【００４２】
そして、このデマッピング用バッファ46からは、バッファ読出制御部51の制御に基づき、フレーム(2)が読み出される。これは、最初は、フレーム検出部52において初期設定されたタイミングによって行われる。
【００４３】
このフレーム(2)を受けたデカプセリング部54は、例えばフレームd1の場合には、図6(3)に示すように、プロトコルPRLとフレーム区切りFSが取り除かれたフレームd1とフレーム間隔情報FIIのみを出力する。そして、このフレーム(3)が分離部55に与えられると、分離部55は、フレーム間隔情報FII(4)と転送フレームTF（d1,d2, …）(5)に分離する。
【００４４】
この分離部55で分離されたフレーム間隔情報FII(4)はフレーム間隔カウンタ53にロードされ、フレーム間隔カウンタ53のキャリーオーバ値を設定する。従って、このフレーム間隔カウンタ53は、フレーム検出部52がフレーム区切りコードFSによってフレーム検出した時点で動作を開始し、フレーム間隔情報FIIがロードされることにより、このフレーム間隔情報FIIの値＝カウント値になるまでバッファ読出制御部51をイネーブル状態にするのでバッファ読出制御部51はデマッピング用バッファ46からフレーム(2)を読み出し続けることになる。そして、FII＝カウント値になった時点でフレーム(2)の読出を停止する（ステップS1）。このようにして図6(5)に示すように、転送フレームTF(5)は図4(1)に示した送信フレームd1,d2, d3, …と同じフレーム間隔でデカプセル化部14から加入者側装置4へ送られる。
【００４５】
このようにして、受信フレームからフレーム間隔を抽出し、このフレーム間隔だけ受信フレームを離して転送するようにしている。
【００４６】
このような図3に示す送信側伝送装置2と図5に示す受信側伝送装置3とを用いて以下に示す各動作実施例も行うことができる。
動作実施例(2)（送信側）：
図7は、送信側伝送装置2の動作実施例(2)を示している。この動作実施例(2)においては、同図(1)の送信フレームd1, d2に示すように、送信フレームSFは、フレーム間隔カウンタ22で与えられるフレーム間隔情報より長い周期のフレーム間隔を有している。
【００４７】
このため、図3に示したカプセル化部11においては、フレーム先頭検出部21が、例えばフレームd1の先頭を検出したとき、フレーム間隔カウンタ22は動作開始するが、そのカウント値の最大値FIImax（キャリーオーバ値）を超えるフレーム間隔の場合には、選択部25は、フレーム間隔カウンタ22の出力(2)を選択した後、次のタイミング信号では遅延部24からフレームd2は未だ到着していないのでフレームは選択できず、従って最大フレーム間隔FIImaxのみをカプセリング部27に送ることになる。
【００４８】
キャリーオーバ後、フレーム間隔カウンタ22は、再びカウントをゼロから再開し、次のフレームd2の先頭が検出された時点でカウントを停止するので、このカウント停止時点で、選択部25の出力(4)はフレーム間隔FII＋フレームd2となる。このようにして、出力(4)は、「FII＋d1」,「FIImax」, 「FII＋d2」,…というようになる。
【００４９】
これにより、カプセリング部27から出力されたフレーム(5)は、図7の例では、「フレーム間隔FII＋フレームd1」をカプセリングしたもの、「最大値のフレーム間隔情報のFIImax」のみをカプセリングしたもの、「フレーム間隔FII＋フレームd2」をカプセリングしたもの、というようになる。
【００５０】
したがって、マッピングバッファ31から出力されるフレーム(6)は、図7(6)に示すように、「フレーム間隔FII＋送信フレームd1」をカプセル化したものと、「最大値のフレーム間隔情報FIImax」をカプセル化したものとを連続させ、すなわち同一チャネル内で多重化させてMUX部36へ送る。
【００５１】
その他の動作は図3及び図4で説明したものと同様である。
動作実施例(2)（受信側）：
図8は、図7に対応する受信側伝送装置の動作実施例(2)を示している。すなわち、図7(6)に示したフレームは、上記の動作実施例(1)と同様に、受信側伝送装置3の分離部13におけるDEMUX部41から分離された図8(1)のフレームDF(1)に対応している。
【００５２】
このようなフレームDF(1)は、デマッピング用バッファ46に上記と同様にして書き込まれ、またデカプセル化部14におけるバッファ読出制御部51によって読み出される。この時、バッファ読出制御部51はフレーム検出部52がフレーム区切りコードによってフレーム検出した時から読出を開始するので、読み出したフレームは、図8(2)に示すように、例えば送信フレームd1→フレーム区切りFS→プロトコルPRL→フレーム間隔情報FII→フレーム区切りFSの順に読み出されてデカプリング部54に送られる。
【００５３】
デカプリング部54では、図8(3)に示すようにフレーム区切りFCSとフレームプロトコルPRLとフレーム区切りFSが取り除かれた形で分離部55に与えられる。
【００５４】
分離部55は、フレーム間隔情報FIIとフレームd1を分離し、フレーム間隔情報FIIをフレーム間隔カウンタ53にロードする。したがってフレーム間隔カウンタ53は、現在のフレームd1の先頭を検出してから今ロードされたフレーム間隔情報FIIの値までカウントし、バッファ46からの読み出しを行うこととなる。
【００５５】
そして、カウンタ53がキャリーオーバした時、図8(2)に示すように、バッファ46から読み出した内容がフレームではなくフレーム間隔情報FIIであったので、バッファ読出制御部51によってデマッピング用バッファ46からはフレーム送出は行われないこととなる（ステップS2）。その後、残りのフレーム間隔の情報FIIにカウンタ53が達したときには、次のフレームd2がバッファ46から読み出されることとなる。従って、フレームd1の次には、フレーム間隔FIImax＋FIIだけ置いてからフレームd2が転送フレームTFとして出力されることになる。
【００５６】
このようにして、分離部55からは、図8(5)に示すように、送信側と同じフレーム間隔の長い周期のフレームd1, d2が転送フレームTFとして出力されることになる。
動作実施例(3)（送受信側）：
図9には、動作実施例(3)が示されており、この実施例の場合には、同図(1)に示すように送信フレームSFに対して、それぞれフレーム間隔情報FIIを検出した後、これらのフレーム間隔情報FIIを、同図(2)に示すように同一チャネルのフレーム周期FPにおいてまとめてカプセル化した部分CPを、チャネル間多重化前のフレームに挿入（多重化）したものであり、一つのフレーム周期FP内において図示のようにカプセル化したものである。
【００５７】
従って、これらのフレーム間隔は、受信側にて再現すると、同図(3)に示すようにそれぞれ分割されて上記と同様にフレーム間隔が設定されることになる。
動作実施例(4)（送受信側）：
図10は、本発明の動作実施例(4)を示している。この実施例の場合には、図9に示す実施例が同一チャネル間でのフレーム間隔情報多重化であったのに対し、複数チャネル間での多重化を可能にしたものである。
【００５８】
すなわち、図10(1)においてチャネルCH1のフレームと、同図(2)に示すチャネルCH2のフレームとがある場合、同図(3)に示すように、これらのチャネルCH1及びチャネルCH2のそれぞれのフレーム間隔情報FIIをまとめ、これを上記の動作実施例(3)と同様にチャネル間多重化前のフレームに挿入（多重化）したものであり、一つのフレーム周期FP内において図示ようにカプセル化したものである。
【００５９】
この例では、チャネルCH1の3つのフレームD1, D2, D3 と、チャネルCH2の3つのフレームd1, d2, d3とがカプセル化部分CPにまとめられている。
【００６０】
このようなフレームを受信した受信側の伝送装置においては、まず同図(4)及び(5)に示すように複数のチャネル間のフレーム間隔情報FIIをカプセル化したものを分離し、チャネルCH1のフレーム間隔を再現すると共に、同図(5)に示すようにチャネルCH2のフレーム間隔を再現することより、同図(1)及び(2)に示すような各チャネルのフレームD1,D2, D3, …d1, d2, d3, …を再現することが可能となる。
動作実施例(5)（送受信側）：
図11は、本発明の動作実施例(5)を示したもので、この実施例においては、同図(1)において示される送信フレームSF（D1, D2, D3）のそれぞれのフレーム間隔情報FIIを、例えば、SDHフレームにおけるSOHで空白になっている未使用バイトに付加することによって多重化している。
【００６１】
従って、このような多重化フレームを受信した受信側の伝送装置においては、このSOHにおける未使用バイトに格納されたフレーム間隔情報FIIを取り出し、それぞれフレームD1, D2, D3 のフレーム間隔を以って転送するようにすることができる。
【００６２】
（付記１）
送信フレームからフレーム間隔を検出する第1ステップと、
該フレーム間隔の情報を該送信フレームに付加し、多重化して送信する第2ステップと、
を備えたことを特徴とするフレーム伝送方法。
（付記２）
分離された受信フレームからフレーム間隔の情報を抽出する第3ステップと、
該受信フレームを該フレーム間隔だけ離して転送する第4ステップと、
を備えたことを特徴とするフレーム伝送方法。
（付記３）付記１において、
該第2ステップは、該フレーム間隔が、該フレーム間隔の情報のビット数で決まる最大のフレーム間隔を超えるときには、該最大のフレーム間隔の情報のみを送信するステップと、続く残りのフレーム間隔の情報を該送信フレームに付加して送信するステップとを含むことを特徴としたフレーム伝送方法。
（付記４）付記２において、
該第3ステップは、該フレーム間隔の情報のビット数で決まる最大のフレーム間隔の情報と、続く残りのフレーム間隔の情報とを該受信フレームから抽出するステップを含み、該第4ステップが、該最大のフレーム間隔の情報に該残りのフレーム間隔の情報を加えたフレーム間隔だけ該受信フレームを離すステップを含むことを特徴としたフレーム伝送方法。
（付記５）付記１又は３において、
該第2ステップが、該フレーム間隔の情報をチャネル毎にまとめ、これを該送信フレームに付加して多重化するステップを含むことを特徴としたフレーム伝送方法。
（付記６）付記１又は３において、
該第2ステップが、該フレーム間隔の情報を複数チャネルに渡ってまとめ、これを該送信フレームに付加して多重化するステップを含むことを特徴としたフレーム伝送方法。
（付記７）付記１又は３において、
該第2ステップが、該フレーム間隔の情報を、所定フレームフォーマットの空きビットに付与するステップをさらに含むことを特徴としたフレーム伝送方法。
（付記８）
送信フレームからフレーム間隔を検出する第1手段と、
該フレーム間隔の情報を該送信フレームに付加し、多重化して送信する第2手段と、
を備えたことを特徴とするフレーム伝送装置。
（付記９）
分離された受信フレームからフレーム間隔の情報を抽出する第3手段と、
該受信フレームを該フレーム間隔だけ離して転送する第4手段と、
を備えたことを特徴とするフレーム伝送装置。
（付記１０）付記８において、
該第2手段は、該フレーム間隔が、該フレーム間隔の情報のビット数で決まる最大のフレーム間隔を超えるときには、該最大のフレーム間隔の情報のみを送信する手段と、続く残りのフレーム間隔の情報を該送信フレームに付加して送信する手段とを含むことを特徴としたフレーム伝送装置。
（付記１１）付記９において、
該第3手段は、該フレーム間隔の情報のビット数で決まる最大のフレーム間隔の情報と、続く残りのフレーム間隔の情報とを該受信フレームから抽出する手段を含み、該第4手段が、該最大のフレーム間隔の情報に該残りのフレーム間隔の情報を加えたフレーム間隔だけ該受信フレームを離す手段を含むことを特徴としたフレーム伝送装置。
（付記１２）付記８又は１０において、
該第2手段が、該フレーム間隔の情報をチャネル毎にまとめ、これを該送信フレームに付加して多重化する手段を含むことを特徴としたフレーム伝送装置。
（付記１３）付記８又は１０において、
該第2手段が、該フレーム間隔の情報を複数チャネルに渡ってまとめ、これを該送信フレームに付加して多重化する手段を含むことを特徴としたフレーム伝送装置。
（付記１４）付記８又は１０において、
該第2手段が、該フレーム間隔の情報を、所定フレームフォーマットの空きビットに付与する手段をさらに含むことを特徴としたフレーム伝送装置。
【図面の簡単な説明】
【００６３】
【図１】本発明に係るフレーム伝送方法及び装置の原理を説明するためのブロック図である。
【図２】図１に示した本発明の原理図に対応する動作タイムチャート図である。
【図３】本発明に用いる送信側伝送装置の構成実施例を示したブロック図である。
【図４】図３に示した送信側伝送装置の動作実施例(1)を示したタイムチャート図である。
【図５】本発明に用いる受信側伝送装置の構成実施例を示したブロック図である。
【図６】図5に示した受信側伝送装置の動作実施例(1)を示したタイムチャート図である。
【図７】本発明における送信側伝送装置の動作実施例(2)を示したタイムチャート図である。
【図８】本発明における受信側伝送装置の動作実施例(2)を示したタイムチャート図である。
【図９】本発明に係るフレーム伝送方法及び装置の動作実施例(3)を示したタイムチャート図である。
【図１０】本発明に係るフレーム伝送方法及び装置の動作実施例(4)を示したタイムチャート図である。
【図１１】本発明に係るフレーム伝送方法及び装置の動作実施例(5)を示したタイムチャート図である。
【図１２】本発明で用いるフレームのフォーマット図である。
【図１３】従来例の概略構成を示したブロック図である。
【図１４】図13に示す従来例の動作例を示したタイムチャート図である。
【符号の説明】
【００６４】
1, 4  加入者側装置
2  送信側伝送装置
11, 11＿1〜11_n  カプセル化部
21  フレーム先頭検出部
22  フレーム間隔カウンタ
23  タイミング生成部
24  遅延部
25  選択部
26  バッファ書込部
27  カプセリング部
12  多重化部
31  SONET/SDHマッピング用バッファ
32  バッファ読出制御部
33  タイミング生成部
34  SOH/POH生成部
35  ポインタ生成部
36  MUX部
3  受信側伝送装置
13  分離部
41  DEMUX部
42  SHO/POH抽出部
43  ポインタ制御部
44  ポインタ書込制御部
45  タイミング制御部
46  SONET/SDHデマッピング用バッファ
14, 14_1〜14_n  デカプセル化部
51  バッファ読出制御部
52  フレーム検出部
53  フレーム間隔カウンタ
54  デカプセリング部
55  分離部
図中、同一符号は同一又は相当部分を示す。
【図１】
2006270792.tif 000003
【図２】
2006270792.tif 000004
【図３】
2006270792.tif 000005
【図４】
2006270792.tif 000006
【図５】
2006270792.tif 000007
【図６】
2006270792.tif 000008
【図７】
2006270792.tif 000009
【図８】
2006270792.tif 000010
【図９】
2006270792.tif 000011
【図１０】
2006270792.tif 000012
【図１１】
2006270792.tif 000013
【図１２】
2006270792.tif 000014
【図１３】
2006270792.tif 000015
【図１４】
2006270792.tif 000016